(57)【特許請求の範囲】
【請求項１】
画素アレイ部と駆動部とからなり、
前記画素アレイ部は、行状の走査線と、列状の信号線と、各走査線と各信号線とが交差する部分に配された行列状の画素とを備え、
各画素は少なくとも、サンプリング用トランジスタと、駆動用トランジスタと、保持容量と、発光素子とを備え、
前記サンプリング用トランジスタは、その制御端が該走査線に接続し、その一対の電流端が該信号線と該駆動用トランジスタの制御端との間に接続し、
前記駆動用トランジスタは、一対の電流端の一方が該発光素子に接続し、他方が電源に接続し、
前記保持容量は、該駆動用トランジスタの制御端に接続し、
前記駆動部は少なくとも、ライトスキャナと信号セレクタとを有し、
前記ライトスキャナは、水平周期毎に順次制御信号を各走査線に供給し、
前記信号セレクタは、各水平周期内で信号電位と基準電位とが切り換る映像信号を各信号線に供給し、
前記サンプリング用トランジスタは、該信号線が基準電位にある時該走査線に供給された制御信号に応じてオンし、該駆動用トランジスタの閾電圧のバラツキをキャンセルするための閾電圧補正動作を行い、
該信号線が基準電位から信号電位に切り換る第１タイミングから該サンプリング用トランジスタが該制御信号に応じてオフする第２タイミングまでの間の書込み期間で、該信号電位を該保持容量に書き込む信号書込動作を行い、
前記駆動用トランジスタは、該保持容量に書き込まれた信号電位に応じた駆動電流を該発光素子に供給して発光動作を行う表示装置であって、
前記信号セレクタは、
前記基準電位の供給ラインと前記信号線との間に接続された第１トランジスタ、
前記信号電位の供給ラインと前記信号線との間に接続された第２トランジスタ、及び、
抵抗と容量から構成され、前記第２トランジスタのゲートに接続された積分回路、
から構成される出力部を備えており、
前記第１トランジスタのゲートには、第１制御パルスが印加され、
前記第２トランジスタの前記ゲートには、前記積分回路を介して第２制御パルスが印加されることによって、前記信号電位に応じて第１タイミングが可変調整され、以って信号電位に応じて第１タイミングから第２タイミングまでの間の書込み期間を可変制御する表示装置。
【請求項２】
前記信号セレクタは、信号電位が白レベルの時第１タイミングを第２タイミングに近づけて書込み期間を短くし、信号電位が黒レベルの時第１タイミングを第２タイミングから遠くして書込み期間を長くする請求項１記載の表示装置。
【請求項３】
前記保持容量は、該駆動用トランジスタの制御端と電流端の間に接続し、
前記駆動用トランジスタは、書込み期間中に流れる駆動電流を該保持容量に負帰還して駆動用トランジスタの移動度のバラツキに対する補正動作を行い、
前記信号セレクタは、信号電位に応じて該書込み期間を可変調整して負帰還量を最適化する請求項２記載の表示装置。
【請求項４】
画素アレイ部と駆動部とからなり、
前記画素アレイ部は、行状の走査線と、列状の信号線と、各走査線と各信号線とが交差する部分に配された行列状の画素とを備え、
各画素は少なくとも、サンプリング用トランジスタと、駆動用トランジスタと、保持容量と、発光素子とを備え、
前記サンプリング用トランジスタは、その制御端が該走査線に接続し、その一対の電流端が該信号線と該駆動用トランジスタの制御端との間に接続し、
前記駆動用トランジスタは、一対の電流端の一方が該発光素子に接続し、他方が電源に接続し、
前記保持容量は、該駆動用トランジスタの制御端に接続し、
前記駆動部は少なくとも、ライトスキャナと信号セレクタとを有し、
前記ライトスキャナは、水平周期毎に順次制御信号を各走査線に供給し、
前記信号セレクタは、各水平周期内で信号電位と基準電位とが切り換る映像信号を各信号線に供給する表示装置の駆動方法であって、
該信号線が基準電位にある時該走査線に供給された制御信号に応じて前記サンプリング用トランジスタをオンし、該駆動用トランジスタの閾電圧のバラツキをキャンセルするための閾電圧補正動作を行い、
該信号線が基準電位から信号電位に切り換る第１タイミングから該制御信号に応じて前記サンプリング用トランジスタがオフする第２タイミングまでの間の書込み期間で、該信号電位を該保持容量に書き込む信号書込動作を行い、
該保持容量に書き込まれた信号電位に応じた駆動電流を前記駆動用トランジスタから該発光素子に供給して発光動作を行い、
前記信号セレクタは、
前記基準電位の供給ラインと前記信号線との間に接続された第１トランジスタ、
前記信号電位の供給ラインと前記信号線との間に接続された第２トランジスタ、及び、
抵抗と容量から構成され、前記第２トランジスタのゲートに接続された積分回路、から構成される出力部を備えており、
前記第１トランジスタのゲートには、第１制御パルスが印加され、
前記第２トランジスタの前記ゲートには、前記積分回路を介して第２制御パルスが印加されることによって、前記信号電位に応じて第１タイミングが可変調整され、以って信号電位に応じて第１タイミングから第２タイミングまでの間の書込み期間を可変制御する表示装置の駆動方法。
【請求項５】
請求項１に記載の表示装置を備えた電子機器。
【発明の詳細な説明】
【技術分野】
【０００１】
本発明は発光素子を画素に用いたアクティブマトリクス型の表示装置及びその駆動方法に関する。またこのような表示装置を備えた電子機器に関する。
【背景技術】
【０００２】
発光素子として有機ＥＬデバイスを用いた平面自発光型の表示装置の開発が近年盛んになっている。有機ＥＬデバイスは有機薄膜に電界をかけると発光する現象を利用したデバイスである。有機ＥＬデバイスは印加電圧が１０Ｖ以下で駆動するため低消費電力である。また有機ＥＬデバイスは自ら光を発する自発光素子であるため、照明部材を必要とせず軽量化及び薄型化が容易である。さらに有機ＥＬデバイスの応答速度は数μｓ程度と非常に高速であるので、動画表示時の残像が発生しない。
【０００３】
有機ＥＬデバイスを画素に用いた平面自発光型の表示装置の中でも、とりわけ駆動素子として薄膜トランジスタを各画素に集積形成したアクティブマトリクス型の表示装置の開発が盛んである。アクティブマトリクス型平面自発光表示装置は、例えば以下の特許文献１ないし６に記載されている。
【特許文献１】特開２００３−２５５８５６
【特許文献２】特開２００３−２７１０９５
【特許文献３】特開２００４−１３３２４０
【特許文献４】特開２００４−０２９７９１
【特許文献５】特開２００４−０９３６８２
【特許文献６】特開２００６‐２１５２１３
【０００４】
図２３は従来のアクティブマトリクス型表示装置の一例を示す模式的な回路図である。表示装置は画素アレイ部１と周辺の駆動部とで構成されている。駆動部は水平セレクタ３とライトスキャナ４を備えている。画素アレイ部１は列状の信号線ＳＬと行状の走査線ＷＳを備えている。各信号線ＳＬと走査線ＷＳの交差する部分に画素２が配されている。図では理解を容易にするため、１個の画素２のみを表してある。ライトスキャナ４はシフトレジスタを備えており、外部から供給されるクロック信号ｃｋに応じて動作し同じく外部から供給されるスタートパルスｓｐを順次転送することで、走査線ＷＳに順次制御信号を出力する。水平セレクタ３はライトスキャナ４側の線順次走査に合わせて映像信号を信号線ＳＬに供給する。
【０００５】
画素２はサンプリング用トランジスタＴ１と駆動用トランジスタＴ２と保持容量Ｃ１と発光素子ＥＬとで構成されている。駆動用トランジスタＴ２はＰチャネル型であり、その一方の電流端であるソースは電源ラインに接続し、他方の電流端であるドレインは発光素子ＥＬに接続している。駆動用トランジスタＴ２の制御端であるゲートはサンプリング用トランジスタＴ１を介して信号線ＳＬに接続している。サンプリング用トランジスタＴ１はライトスキャナ４から供給される制御信号に応じて導通し、信号線ＳＬから供給される映像信号をサンプリングして保持容量Ｃ１に書き込む。駆動用トランジスタＴ２は保持容量Ｃ１に書き込まれた映像信号をゲート電圧Ｖｇｓとしてそのゲートに受け、ドレイン電流Ｉｄｓを発光素子ＥＬに流す。これにより発光素子ＥＬは映像信号に応じた輝度で発光する。ゲート電圧Ｖｇｓは、ソースを基準にしたゲートの電位を表している。
【０００６】
駆動用トランジスタＴ２は飽和領域で動作し、ゲート電圧Ｖｇｓとドレイン電流Ｉｄｓの関係は以下の特性式で表される。
Ｉｄｓ＝（１／２）μ（Ｗ／Ｌ）Ｃｏｘ（Ｖｇｓ−Ｖｔｈ）２
ここでμは駆動用トランジスタの移動度、Ｗは駆動用トランジスタのチャネル幅、Ｌは同じくチャネル長、Ｃｏｘは同じく単位面積あたりのゲート絶縁膜容量、Ｖｔｈは同じく閾電圧である。この特性式から明らかなように駆動用トランジスタＴ２は飽和領域で動作するとき、ゲート電圧Ｖｇｓに応じてドレイン電流Ｉｄｓを供給する定電流源として機能する。
【０００７】
図２４は、発光素子ＥＬの電圧／電流特性を示すグラフである。横軸にアノード電圧Ｖを示し、縦軸に駆動電流Ｉｄｓをとってある。なお発光素子ＥＬのアノード電圧は駆動用トランジスタＴ２のドレイン電圧となっている。発光素子ＥＬは電流／電圧特性が経時変化し、特性カーブが時間の経過と共に寝ていく傾向にある。このため駆動電流Ｉｄｓが一定であってもアノード電圧（ドレイン電圧）Ｖが変化してくる。その点、図２３に示した画素回路２は駆動用トランジスタＴ２が飽和領域で動作し、ドレイン電圧の変動に関わらずゲートで電圧Ｖｇｓに応じた駆動電流Ｉｄｓを流すことができるので、発光素子ＥＬの特性経時変化に関わらず発光輝度を一定に保つことが可能である。
【０００８】
図２５は、従来の画素回路の他の例を示す回路図である。先に示した図２３の画素回路と異なる点は、駆動用トランジスタＴ２がＰチャネル型からＮチャネル型に変わっていることである。回路の製造プロセス上は、画素を構成する全てのトランジスタをＮチャネル型にすることが有利である場合が多い。
【発明の開示】
【発明が解決しようとする課題】
【０００９】
しかしながら図２５の回路構成では、駆動用トランジスタＴ２がＮチャネル型であるため、そのドレインが電源ラインに接続する一方、ソースＳが発光素子ＥＬのアノードに接続することになる。従って発光素子ＥＬの特性が経時変化した場合、ソースＳの電位に影響が現れるため、Ｖｇｓが変動し駆動用トランジスタＴ２が供給するドレイン電流Ｉｄｓが経時的に変化してしまう。このため発光素子ＥＬの輝度が経時的に変動する。また発光素子ＥＬばかりでなく、駆動用トランジスタＴ２の閾電圧Ｖｔｈや移動度μも画素毎にばらつく。これらのパラメータＶｔｈやμは前述したトランジスタ特性式に含まれるため、Ｖｇｓが一定でもＩｄｓが変化してしまう。これにより画素毎に発光輝度が変化し画面のユニフォーミティが得られない。従来から画素毎にばらつく駆動用トランジスタＴ２の閾電圧Ｖｔｈを補正する機能（閾電圧補正機能）を備えた表示装置が提案されており、例えば前述の特許文献３に開示がある。また画素毎にばらつく駆動用トランジスタＴ２の移動度μを補正する機能（移動度補正機能）を備えた表示装置も提案されており、例えば前述の特許文献６に記載がある。
【００１０】
従来の移動度補正機能を備えた表示装置は、サンプリング用トランジスタＴ１をオンして映像信号をサンプリングし保持容量Ｃ１に書き込む間（サンプリング期間または書込み期間）に合わせて、移動度補正を行っている。具体的には、サンプリング期間中映像信号に応じて駆動用トランジスタＴ２に流れる駆動電流を保持容量Ｃ１に負帰還し、以って駆動用トランジスタＴ１の移動度μに対する補正を保持容量Ｃ１に書き込まれた映像信号の信号電位にかけている。従ってサンプリング期間が丁度移動度補正期間となっている。
【００１１】
映像信号の信号電位は黒レベルから白レベルまで階調に応じて変化する。これに対し従来の表示装置は映像信号の階調レベルに関わらず映像信号のサンプリング期間即ち移動度補正期間が固定されていた。ところが最適な移動度補正期間は必ずしも一定ではなく、映像信号の階調レベルに依存していることが分かっている。一般的な傾向として、輝度が白レベルのとき最適な移動度補正期間は短く、輝度が黒レベルのとき最適な移動度補正期間は長くなる。しかしながら、従来の表示装置はこの点の対策がなされておらず、精密且つ完全な移動度補正を行うことが出来ず、画面のユニフォーミティが必ずしも高くないという課題があった。
【課題を解決するための手段】
【００１２】
上述した従来の技術の課題に鑑み、本発明は映像信号の階調レベルに応じた移動度補正期間の適応制御が可能な表示装置を提供することを目的とする。かかる目的を達成するために以下の手段を講じた。即ち本発明は、画素アレイ部と駆動部とからなり、前記画素アレイ部は、行状の走査線と、列状の信号線と、各走査線と各信号線とが交差する部分に配された行列状の画素とを備え、各画素は少なくとも、サンプリング用トランジスタと、駆動用トランジスタと、保持容量と、発光素子とを備え、前記サンプリング用トランジスタは、その制御端が該走査線に接続し、その一対の電流端が該信号線と該駆動用トランジスタの制御端との間に接続し、前記駆動用トランジスタは、一対の電流端の一方が該発光素子に接続し、他方が電源に接続し、前記保持容量は、該駆動用トランジスタの制御端に接続し、前記駆動部は少なくとも、ライトスキャナと信号セレクタとを有し、前記ライトスキャナは、水平周期毎に順次制御信号を各走査線に供給し、前記信号セレクタは、各水平周期内で信号電位と基準電位とが切り換る映像信号を各信号線に供給し、前記サンプリング用トランジスタは、該信号線が基準電位にある時該走査線に供給された制御信号に応じてオンし、該駆動用トランジスタの閾電圧のバラツキをキャンセルするための閾電圧補正動作を行い、該信号線が基準電位から信号電位に切り換る第１タイミングから該サンプリング用トランジスタが該制御信号に応じてオフする第２タイミングまでの間の書込み期間で、該信号電位を該保持容量に書き込む信号書込動作を行い、前記駆動用トランジスタは、該保持容量に書き込まれた信号電位に応じた駆動電流を該発光素子に供給して発光動作を行う表示装置であって、前記信号セレクタは、該信号電位に応じて第１タイミングを可変調整し、以って信号電位に応じて第１タイミングから第２タイミングまでの間の書込み期間を可変制御することを特徴とする。
【００１３】
具体的には、前記信号セレクタは、信号電位が白レベルの時第１タイミングを第２タイミングに近づけて書込み期間を短くし、信号電位が黒レベルの時第１タイミングを第２タイミングから遠くして書込み期間を長くする。又前記保持容量は、該駆動用トランジスタの制御端と電流端の間に接続し、前記駆動用トランジスタは、書込み期間中に流れる駆動電流を該保持容量に負帰還して駆動用トランジスタの移動度のバラツキに対する補正動作を行い、前記信号セレクタは、信号電位に応じて該書込み期間を可変調整して負帰還量を最適化する。
【発明の効果】
【００１４】
本発明にかかる表示装置は、信号線が基準電位から信号電位に切換る第１タイミングからサンプリング用トランジスタが制御信号に応じてオフする第２タイミングまでの間の書込み期間で、信号電位を保持容量に書き込んでいる。その際信号セレクタは、信号電位に応じて第１タイミングを可変調整し、以って信号電位に応じて第１タイミングから第２タイミングまでの間の書込み期間を可変制御している。この書込み期間中、駆動用トランジスタに流れる駆動電流は保持容量に負帰還され、駆動用トランジスタの移動度のばらつきに対する補正を行う。よって第１タイミングから第２タイミングまでの間の書込み期間が移動度補正期間となっている。本発明では、信号電位に応じてこの書込み期間（即ち移動度補正期間）を適応的に調整している。これにより信号電位のレベル（階調）に応じた移動度補正期間の最適制御が可能となり、画面のユニフォーミティを高めることが出来る。
【００１５】
特に本発明では信号セレクタで信号線が基準電位から信号電位に切換る第１タイミングを可変調整することで、移動度補正期間の適応制御を行っている。信号セレクタが信号レベルに応じた切換えタイミングの位相制御を行うことで移動度補正期間の最適制御が可能となる。即ち信号セレクタに信号電位／位相変換機能を組み込むだけで本発明を実施でき、回路コストを低く抑えることが出来ると共に、信号セレクタも画素アレイ部と同じパネル基板上に集積形成することが可能である。何ら特別な外付けのモジュールを必要とせず、製造コストの低減化と消費電力の低減化を達成することが出来る。
【発明を実施するための最良の形態】
【００１６】
以下図面を参照して本発明の実施の形態を詳細に説明する。図１は本発明にかかる表示装置の全体構成を示すブロック図である。図示するように、本表示装置は、画素アレイ部１とこれを駆動する駆動部（３，４，５）とを同一基板上に形成したパネルからなる。画素アレイ部１は、行状の走査線ＷＳと、列状の信号線ＳＬと、両者が交差する部分に配された行列状の画素２と、各画素２の各行に対応して配された電源ラインである給電線ＤＳとを備えている。駆動部（３，４，５）は、各走査線ＷＳに順次制御信号を供給して画素２を行単位で線順次走査する制御用スキャナ（ライトスキャナ）４と、この線順次走査に合わせて各給電線ＤＳに第１電位と第２電位で切換る電源電圧を供給する電源スキャナ（ドライブスキャナ）５と、この線順次走査に合わせて列状の信号線ＳＬに映像信号となる信号電位と基準電位を供給する信号ドライバ（水平セレクタ）３とを備えている。なおライトスキャナ４は外部から供給されるクロック信号ＷＳｃｋに応じて動作し同じく外部から供給されるスタートパルスＷＳｓｐを順次転送することで、各走査線ＷＳに制御信号を出力している。ドライブスキャナ５は外部から供給されるクロック信号ＤＳｃｋに応じて動作し、同じく外部から供給されるスタートパルスＤＳｓｐを順次転送することで、給電線ＤＳの電位を線順次で切換えている。
【００１７】
図２は、図１に示した表示装置に含まれる画素２の具体的な構成を示す回路図である。図示するように本画素回路２は、有機ＥＬデバイスなどで代表される２端子型（ダイオード型）の発光素子ＥＬと、Ｎチャネル型のサンプリング用トランジスタＴ１と、同じくＮチャネル型の駆動用トランジスタＴ２と、薄膜タイプの保持容量Ｃ１とで構成されている。サンプリング用トランジスタＴ１はその制御端であるゲートが走査線ＷＳに接続し、その一対の電流端であるソース及びドレインの一方が信号線ＳＬに接続し、他方が駆動用トランジスタＴ２のゲートＧに接続している。駆動用トランジスタＴ２は、そのソース及びドレインの一方が発光素子ＥＬに接続し、他方が給電線ＤＳに接続している。本形態は駆動用トランジスタＴ２がＮチャネル型であり、その片方の電流端であるドレイン側が給電線ＤＳに接続し、もう片方の電流端であるソースＳ側が発光素子ＥＬのアノード側に接続している。発光素子ＥＬのカソードは所定のカソード電位Ｖｃａｔに固定されている。保持容量Ｃ１は駆動用トランジスタＴ２の電流端であるソースＳと制御端であるゲートＧとの間に接続している。かかる構成を有する画素２に対して、制御用スキャナ（ライトスキャナ）４は、走査線ＷＳを低電位と高電位の間で切り換えることで順次制御信号を出力し、画素２を行単位で線順次走査する。電源スキャナ（ドライブスキャナ）５は、線順次走査に合わせて各給電線ＤＳに第１電位Ｖｃｃと第２電位Ｖｓｓで切換る電源電圧を供給している。信号ドライバ（水平セレクタ３）は、線順次走査に合わせて列状の信号線ＳＬに映像信号となる信号電位Ｖｓｉｇと基準電位Ｖｏｆｓを供給している。
【００１８】
図３は、図２に示した画素の動作説明に供するタイミングチャートである。なおこのタイミングチャートは参考例であって、図２に示した画素回路の制御シーケンスは図３のタイミングチャートに限られるものではない。このタイミングチャートは時間軸を共通にして、走査線ＷＳの電位変化、給電線（電源ライン）ＤＳの電位変化、信号線ＳＬの電位変化を表してある。走査線ＷＳの電位変化は制御信号を表し、サンプリング用トランジスタＴ１の開閉制御を行っている。給電線ＤＳの電位変化は、電源電圧Ｖｃｃ，Ｖｓｓの切換えを表している。また信号線ＳＬの電位変化は入力信号（映像信号）の信号電位Ｖｓｉｇと基準電位Ｖｏｆｓの切換えを表している。この切換えは各水平周期（１Ｈ）内で行われる。またこれらの電位変化と並行に、駆動用トランジスタＴ２のゲートＧ及びソースＳの電位変化も表している。前述したようにゲートＧとソースＳの電位差がＶｇｓである。
【００１９】
このタイミングチャートは画素の動作の遷移に合わせて期間を（１）〜（７）のように便宜的に区切ってある。当該フィールドに入る直前の期間（１）では発光素子ＥＬが発光状態にある。その後線順次走査の新しいフィールドに入ってまず最初の期間（２）で給電線ＤＳを第１電位Ｖｃｃから第２電位Ｖｓｓに切り換える。次の期間（３）に進み入力信号をＶｓｉｇからＶｏｆｓに切り換える。さらに次の期間（４）でサンプリング用トランジスタＴ１をオンする。この期間（２）〜（４）で駆動用トランジスタＴ２のゲート電圧及びソース電圧を初期化する。この期間（２）〜（４）は閾電圧補正のための準備期間であり、駆動用トランジスタＴ２のゲートＧがＶｏｆｓに初期化される一方、ソースＳがＶｓｓに初期化される。続いて閾値補正期間（５）で実際に閾電圧補正動作が行われ、駆動用トランジスタＴ２のゲートＧとソースＳとの間に閾電圧Ｖｔｈに相当する電圧が保持される。実際にはＶｔｈに相当する電圧が、駆動用トランジスタＴ２のゲートＧとソースＳとの間に接続された保持容量Ｃ１に書き込まれることになる。
【００２０】
なお図３に示した参考例では、閾値補正期間（５）は３回に分けており、時分割的に閾電圧補正動作を行っている。各閾電圧補正期間（５）の間には待機期間（５ａ）が挿入されている。この様に閾電圧補正期間（５）を分割して閾電圧補正動作を複数回繰り返すことにより、Ｖｔｈに相当する電圧を保持容量Ｃ１に書き込むようにしている。但し本発明はこれに限られるものではなく、１回の閾電圧補正期間（５）で補正動作を行うことも可能である。
【００２１】
この後、書込動作期間／移動度補正期間（６）に進む。ここで映像信号の信号電位ＶｓｉｇがＶｔｈに足し込まれる形で保持容量Ｃ１に書き込まれると共に、移動度補正用の電圧ΔＶが保持容量Ｃ１に保持された電圧から差し引かれる。この書込み期間／移動度補正期間（６）では、信号線ＳＬが信号電位Ｖｓｉｇにある時間帯にサンプリング用トランジスタＴ１を導通状態にする必要がある。この後発光期間（７）に進み、信号電位Ｖｓｉｇに応じた輝度で発光素子が発光する。その際信号電位Ｖｓｉｇは閾電圧Ｖｔｈに相当する電圧と移動度補正用の電圧ΔＶとによって調整されているため、発光素子ＥＬの発光輝度は駆動用トランジスタＴ２の閾電圧Ｖｔｈや移動度μのばらつきの影響を受けることはない。なお発光期間（７）の最初でブートストラップ動作が行われ、駆動用トランジスタＴ２のゲートＧ／ソースＳ間電圧Ｖｇｓを一定に維持したまま、駆動用トランジスタＴ２のゲート電位及びソース電位が上昇する。
【００２２】
引き続き図４〜図１２を参照して、図２に示した画素回路の動作を詳細に説明する。まず図４に示したように発光期間（１）では、電源電位がＶｃｃにセットされ、サンプリング用トランジスタＴ１はオフしている。このとき駆動用トランジスタＴ２は飽和領域で動作するようにセットされているため、発光素子ＥＬに流れる駆動電流Ｉｄｓは駆動用トランジスタＴ２のゲートＧ／ソースＳ間に印加される電圧Ｖｇｓに応じて、前述したトランジスタ特性式で示される値を取る。
【００２３】
続いて図５に示すように準備期間（２），（３）に入ると給電線（電源ライン）の電位をＶｓｓにする。このときＶｓｓは発光素子ＥＬの閾電圧Ｖｔｈｅｌとカソード電圧Ｖｃａｔの和よりも小さくなるように設定している。即ちＶｓｓ＜Ｖｔｈｅｌ＋Ｖｃａｔであるので、発光素子ＥＬは消灯し、電源ライン側が駆動用トランジスタＴ２のソースとなる。このとき発光素子ＥＬのアノードはＶｓｓに充電される。
【００２４】
さらに図６に示すように次の準備期間（４）に入ると、信号線ＳＬの電位がＶｏｆｓになる一方サンプリング用トランジスタＴ１がオンして、駆動用トランジスタＴ２のゲート電位をＶｏｆｓとする。この様にして発光時における駆動用トランジスタＴ２のソースＳ及びゲートＧが初期化され、このときのゲートソース間電圧ＶｇｓはＶｏｆｓ−Ｖｓｓの値となる。Ｖｇｓ＝Ｖｏｆｓ−Ｖｓｓは駆動用トランジスタＴ２の閾電圧Ｖｔｈよりも大きな値となるように設定されている。この様にＶｇｓ＞Ｖｔｈになるように駆動用トランジスタＴ２を初期化することで、次に来る閾電圧補正動作の準備が完了する。
【００２５】
続いて図７に示すように閾電圧補正期間（５）に進むと、給電線ＤＳ（電源ライン）の電位がＶｃｃに戻る。電源電圧をＶｃｃとすることで発光素子ＥＬのアノードが駆動用トランジスタＴ２のソースＳとなり、図示のように電流が流れる。このとき発光素子ＥＬの等価回路は図示のようにダイオードＴｅｌと容量Ｃｅｌの並列接続で表される。アノード電位（即ちソース電位Ｖｓｓ）がＶｃａｔ＋Ｖｔｈｅｌよりも低いので、ダイオードＴｅｌはオフ状態にあり、そこに流れるリーク電流は駆動用トランジスタＴ２に流れる電流よりもかなり小さい。よって駆動用トランジスタＴ２に流れる電流はほとんどが保持容量Ｃ１と等価容量Ｃｅｌを充電するために使われる。
【００２６】
図８は図７に示した閾電圧補正期間（５）における駆動用トランジスタＴ２のソース電圧の時間変化を表している。図示するように、駆動用トランジスタＴ２のソース電圧（即ち発光素子ＥＬのアノード電圧）は時間と共にＶｓｓから上昇する。閾電圧補正期間（５）が経過すると駆動用トランジスタＴ２はカットオフし、そのソースＳとゲートＧとの間の電圧ＶｇｓはＶｔｈとなる。このときソース電位はＶｏｆｓ−Ｖｔｈで与えられる。この値Ｖｏｆｓ−Ｖｔｈは依然としてＶｃａｔ＋Ｖｔｈｅｌよりも低くなっていれば、発光素子ＥＬは遮断状態にある。
【００２７】
図８のグラフに示したように、駆動用トランジスタＴ２のソース電圧は時間と共に上昇していく。しかしながら本例では駆動用トランジスタＴ２のソース電圧がＶｏｆｓ−Ｖｔｈに達する前に、１回目の閾電圧補正期間（５）が終わるため、サンプリング用トランジスタＴ１がオフし、待機期間（５ａ）に入る。図９はこの待機期間（５ａ）における画素回路の状態を表している。この１回目の待機期間（５ａ）では駆動用トランジスタＴ２のゲートＧ／ソースＳ間電圧Ｖｇｓは依然としてＶｔｈよりも大きいため、図示のように電源Ｖｃｃから駆動用トランジスタＴ２を通って保持容量Ｃ１に電流が流れる。これにより駆動用トランジスタＴ２のソース電圧が上昇するが、サンプリング用トランジスタＴ１がオフでゲートＧがハイインピーダンスにあるため、ゲートＧの電位もソースＳの電位上昇に合わせて上昇していく。即ちこの１回目の待機期間（５ａ）ではブートストラップ動作で駆動用トランジスタＴ２のソース電位及びゲート電位が共に上昇していく。このとき発光素子ＥＬには引き続き逆バイアスがかかっているため、発光素子ＥＬが発光することはない。
【００２８】
この後一水平周期（１Ｈ）経過して再び信号線ＳＬの電位がＶｏｆｓとなったときサンプリング用トランジスタＴ１をオンして２回目の閾電圧補正動作を開始する。この後２回目の閾電圧補正期間（５）が経過したら２回目の待機期間（５ａ）に移る。この様に閾電圧補正期間（５）と待機期間（５ａ）を繰り返すことで、最終的に駆動用トランジスタＴ２のゲートＧ／ソースＳ間電圧はＶｔｈに相当する電圧に達する。このとき駆動用トランジスタＴ２のソース電位はＶｏｆｓ−Ｖｔｈで、Ｖｃａｔ＋Ｖｔｈｅｌよりも小さくなっている。
【００２９】
次に図１０に示すように信号書込み期間／移動度補正期間（６）に入ると、信号線ＳＬの電位をＶｏｆｓからＶｓｉｇに切り換えた後、サンプリング用トランジスタＴ１をオンする。このとき信号電位Ｖｓｉｇは階調に応じた電圧となっている。駆動用トランジスタＴ２のゲート電位はサンプリング用トランジスタＴ１をオンしているためＶｓｉｇとなる。一方ソース電位は電源Ｖｃｃから電流が流れるため時間と共に上昇していく。この時点でも駆動用トランジスタＴ２のソース電位が発光素子ＥＬの閾電圧Ｖｔｈｅｌとカソード電圧Ｖｃａｔの和を超えていなければ、駆動用トランジスタＴ２から流れる電流はもっぱら等価容量Ｃｅｌと保持容量Ｃ１の充電に使われる。このとき既に駆動用トランジスタＴ２の閾電圧補正動作は完了しているため、駆動用トランジスタＴ２が流す電流は移動度μを反映したものとなる。具体的に言うと移動度μが大きい駆動用トランジスタＴ２はこのときの電流量が大きく、ソースの電位上昇分ΔＶも大きい。逆に移動度μが小さい場合駆動用トランジスタＴ２の電流量が小さく、ソースの上昇分ΔＶは小さくなる。かかる動作により駆動用トランジスタＴ２のゲート電圧Ｖｇｓは移動度μを反映してΔＶだけ圧縮され、移動度補正期間（６）が完了した時点で完全に移動度μを補正したＶｇｓが得られる。
【００３０】
図１１は、上述した移動度補正期間（６）における駆動用トランジスタＴ２のソース電圧の時間的な変化を示すグラフである。図示するように駆動用トランジスタＴ２の移動度が大きいとソース電圧は速く上昇し、それだけＶｇｓが圧縮される。即ち移動度μが大きいとその影響を打ち消すようにＶｇｓが圧縮され、駆動電流が抑制できる。一方移動度μが小さい場合駆動用トランジスタＴ２のソース電圧はそれほど速く上昇しないので、Ｖｇｓも強く圧縮を受けることはない。したがって移動度μが小さい場合、駆動用トランジスタのＶｇｓは小さい駆動能力を補うように大きな圧縮がかからない。
【００３１】
図１２は発光期間（７）の動作状態を表している。この発光期間（７）ではサンプリング用トランジスタＴ１をオフして発光素子ＥＬを発光させる。駆動用トランジスタＴ２のゲート電圧Ｖｇｓは一定に保たれており、駆動用トランジスタＴ２は前述した特性式に従って一定の電流Ｉｄｓ´を発光素子ＥＬに流す。発光素子ＥＬのアノード電圧（即ち駆動用トランジスタＴ２のソース電圧）は発光素子ＥＬにＩｄｓ´という電流が流れるため、Ｖｘまで上昇しこれがＶｃａｔ＋Ｖｔｈｅｌを超えた時点で発光素子ＥＬが発光する。発光素子ＥＬは発光時間が長くなるとその電流／電圧特性は変化してしまう。そのため図１１に示したソースＳの電位が変化する。しかしながら駆動用トランジスタＴ２のゲート電圧Ｖｇｓはブートストラップ動作により一定値に保たれているので、発光素子ＥＬに流れる電流Ｉｄｓ´は変化しない。よって発光素子ＥＬの電流／電圧特性が劣化しても、一定の駆動電流Ｉｄｓ´が常に流れていて、発光素子ＥＬの輝度が変化することはない。
【００３２】
ところで最適な移動度補正期間は必ずしも一定ではなく、映像信号の輝度レベル（階調）に依存している。画面上に現れる移動度起因のむらを取り除くためには、移動度補正期間を階調レベルに応じて適応的に制御することが必要である。一般的な傾向として、白表示時には最適移動度補正時間は短くなり、逆に黒表示時には最適移動度補正時間は長くなる。
【００３３】
図１３は、階調レベルに応じた移動度補正時間（信号書き込み時間）の適応制御方式を示す波形図である。但し図１３は参考例を表している。図示するように信号線ＳＬに供給する入力信号（即ち映像信号）は、１Ｈの間で基準電位ＶｏｆｓとＶｓｉｇの間を切換る。これに応じ、走査線ＷＳに制御信号パルスが印加され、サンプリング用トランジスタＴ１が２回オンする。まず入力信号がＶｏｆｓのときオンして、前述した様に閾値補正動作を行う。続いて入力信号がＶｓｉｇに切換ったとき、サンプリング用トランジスタＴ１が再度オンし、信号書込み動作を行う。この信号書き込み動作を行う期間が丁度移動度補正期間となっている。図１３の参考例は、２発目の制御信号パルスの立下りに傾斜をつけることで、信号書込み期間（即ち移動度補正期間）の適応制御を行っている。この制御信号パルスの立下り波形はアナログ波形であり且つ電圧幅も大きいため、パネルの内部で生成することは出来ず、外付けのモジュールを利用している。このモジュールで所望の立下り波形を生成し、これをパネル内のライトスキャナの電源ラインに入力することで所望の制御信号パルスの立下り波形を得ている。しかしながら、このモジュールは高電位で且つ精度の高い波形を生成するため、複雑且つ高価であり、大きな消費電力を必要とする。このため外部モジュールの使用は、表示装置を携帯機器のディスプレイに適用する場合などに、大きな障害となっている。
【００３４】
図１４は、図１３に示した参考例にかかる移動度補正期間の適応制御を説明するための模式図である。前述した様に、走査線ＷＳに供給される制御信号パルスは特徴的な立下り波形を有しており、最初に急峻でその後なだらかに変化し、最後に再び急峻に立下る形状となっている。この立下り波形はサンプリング用トランジスタＴ１の制御端（ゲート）に印加される。一方このサンプリング用トランジスタＴ１のソースには信号電位Ｖｓｉｇが印加される。従ってサンプリング用トランジスタＴ１のオンオフを制御するゲート電圧Ｖｇｓは、ソースに印加される信号電位Ｖｓｉｇに依存している。
【００３５】
白表示のときの信号電位をＶｓｉｇ白とし、サンプリング用トランジスタＴ１の閾電圧をＶｔｈＴ１とすると、制御信号パルスの立下りが丁度鎖線で示すＶｓｉｇ白＋ＶｔｈＴ１のレベルを横切ったとき、サンプリング用トランジスタＴ１がオフする。このオフするタイミングは制御信号パルスが丁度急峻に立下り始めた時点であるので、サンプリング用トランジスタＴ１がオンしてからオフするまでの白表示時信号書込み期間は短くなる。よって白表示時における移動度補正期間も短くなる。
【００３６】
一方黒表示時の信号電位をＶｓｉｇ黒とすると、図示のように制御信号パルスの最後の立下り部分が点線で示すＶｓｉｇ黒＋ＶｔｈＴ１を下回ったときにサンプリング用トランジスタＴ１がオフする。よって黒表示時の信号書込み期間は長くなる。この様にして信号電位に応じた移動度補正期間の適応制御を行っている。なお白表示と黒表示の中間のグレー表示の場合、サンプリング用トランジスタＴ１がオフするタイミングは丁度立下り波形がなだらかに変化する部分であり、ここでグレーレベルに応じた細かい移動度補正時間の調整が出来る。但し前述した様にこの参考例は、特徴的な立下り波形を生成するために外付けのモジュールを必要としており、モバイル応用などでは問題があった。
【００３７】
この様な参考例の問題に対処するため、本発明は画素に入力する映像信号（入力信号）の階調レベルに応じて映像信号の立上り位相（基準電位から信号電位に切換るタイミング）を調整することで、最適移動度補正時間の適応制御を行っている。図１５Ａは本発明にかかる駆動シーケンスを示すタイミングチャートである。基本的には、図３に示した参考例のタイミングチャートと同様であり、理解を容易にするため同じ表記を採用している。制御線ＷＳには、ライトスキャナから制御信号が供給され、これに応じてサンプリング用トランジスタＴ１がオンオフ動作する。ライトスキャナは水平周期（１Ｈ）ごとに順次制御信号を各走査線ＷＳに供給している。これに対し信号線ＳＬには信号セレクタから入力信号が供給されている。信号セレクタは各水平周期内で信号電位Ｖｓｉｇと基準電位Ｖｏｆｓとが切換る映像信号（入力信号）を各信号線ＳＬに供給している。また電源ラインＤＳには電源スキャナから低電位Ｖｓｓと高電位Ｖｃｃとで切換る電源電圧が供給されている。
【００３８】
図示するように電源ライン（給電線）ＤＳが低電位Ｖｓｓにあるとき、画素は準備期間（４）で閾値補正準備動作を行う。続いて電源ラインＤＳがＶｓｓからＶｃｃに切換ると、補正期間（５）で閾値補正動作を行う。本実施形態ではこの閾電圧補正動作を時分割で３回繰り返して行っている。
【００３９】
非発光期間の最後の１Ｈ期間に、３回目の閾電圧補正期間（５）、信号書込み期間、即ち移動度補正期間（６）が含まれる。その後発光期間（７）に移行する。ここで非発光期間の最後の１Ｈに注目すると、サンプリング用トランジスタＴ１は、信号線ＳＬが基準電位Ｖｏｆｓにあるタイミングｔ０で走査線ＷＳに供給された制御信号に応じてオンし、駆動用トランジスタＴ２の閾電圧Ｖｔｈのばらつきをキャンセルするための３回目の閾電圧補正動作を行う。その後信号線ＳＬが基準電位Ｖｏｆｓから信号電位Ｖｓｉｇに切換る第１タイミングｔ１からサンプリング用トランジスタＴ１が制御信号に応じてオフする第２タイミングｔ２までの間の書込み期間（６）で、信号電位Ｖｓｉｇを保持容量Ｃ１に書き込む信号書込み動作を行っている。この後発光期間（７）で、駆動用トランジスタＴ２は保持容量Ｃ１に書き込まれた信号電位に応じた駆動電流を発光素子ＥＬに供給して発光動作を行う。
【００４０】
本発明の特徴事項として、信号セレクタ（水平セレクタ）は、信号電位Ｖｓｉｇのレベル（階調）に応じて第１タイミングｔ１（即ち駆動信号の切換え位相）を可変調整し、以って信号電位Ｖｓｉｇに応じて第１タイミングｔ１から第２タイミングｔ２までの間の信号書込み期間（６）を可変制御している。具体的には、信号セレクタは、信号電位Ｖｓｉｇが白レベルのとき第１タイミングｔ１を第２タイミングｔ２に近づけて書込み期間（６）を短くし、信号電位Ｖｓｉｇが黒レベルのとき第１タイミングｔ１を第２タイミングｔ２から遠くして書込み期間（６）を長くしている。この書込み期間（６）で、駆動用トランジスタＴ２は書込み期間（６）に流れる駆動電流を保持容量Ｃ１に負帰還して駆動用トランジスタＴ２の移動度μに対する補正動作を行う。信号セレクタは、前述した様に信号電位Ｖｓｉｇのレベルに応じて書込み期間（６）を可変調整して負帰還量を最適化している。信号レベル（輝度階調）に応じた入力信号の切換えタイミングの位相調整は、比較的簡単な構成のレベル／位相変換回路で実現でき、複雑な外付けのモジュールは必要としない。
【００４１】
図１５Ｂは、白表示を行う場合の動作状態を示す波形図である。信号線ＳＬに供給される入力信号は１Ｈの間でＶｏｆｓからＶｓｉｇに切換る。この切換りのタイミングはｔ１で表されている。走査線ＷＳに印加される制御信号パルスに応じてサンプリング用トランジスタＴ１はオンする。このオンするタイミングはｔ０で表されている。入力信号がＶｏｆｓのときサンプリング用トランジスタＴ１はオンして閾値補正動作を行う。この後タイミングｔ１で入力信号がＶｓｉｇに切換ると白信号の書込み動作に移行する。同時に白信号に対応した移動度補正が開始する。入力信号がタイミングｔ１でＶｓｉｇに切換った後タイミングｔ２でサンプリング用トランジスタＴ１がオフし、白信号書込み動作が完了する。かかる動作シーケンスにおいて、入力信号がＶｏｆｓからＶｓｉｇに切換るタイミングｔ１は相対的にタイミングｔ２に接近するようになっている。これにより白信号書込み時間が短くなり、移動度補正時間が白レベルに合わせて最適化される。換言すると白信号入力時には入力信号の信号位相を遅らせることで、信号書込み時間を短くしている。
【００４２】
図１５Ｃは、黒信号書込み時の動作状態を示す波形図である。入力信号はタイミングｔ１で基準電位Ｖｏｆｓから信号電位Ｖｓｉｇに切換っている。黒表示であるので、Ｖｓｉｇのレベルは図１５Ｂに示した白表示のレベルに比べて下っている。これと対応するように、ＶｏｆｓからＶｓｉｇに切換るタイミングｔ１はタイミングｔ２から遠くなるようにしている。換言すると黒表示時には入力信号の信号位相を早めることで黒信号書込み期間を長くすることが出来る。以上のように本発明では信号書込み期間を信号の立上りタイミングｔ１とサンプリング用トランジスタＴ１のオフするタイミングｔ２とで決定し、尚且つ画素に入力される映像信号のレベルに応じて信号の立下り位相ｔ１を可変とすることで、全階調に渡って移動度起因のむらを正確に補正することが可能となり、筋やむらのない均一な画質が得られる。本発明によりライトスキャナに外部のモジュールからアナログ波形を入力する必要がなくなるため、低消費電力化及び低コスト化が実現できる。
【００４３】
図１５Ｄは、信号線ＳＬの１列分に対応した水平セレクタ３の出力部を表している。水平セレクタは出力部のほか、図示しないが出力部に信号電圧Ｖｓｉｇ及び基準電圧Ｖｏｆｓを供給する信号処理部と、ライトスキャナ側の線順次走査に合わせて出力部に制御信号を供給するシフトレジスタを含んでいる。
【００４４】
水平セレクタ３の出力部は、トランジスタＨ１，Ｈ２と、抵抗Ｒと、容量Ｃとで構成されている。トランジスタＨ１は、基準電圧Ｖｏｆｓの出力用であって、一対の電流端は基準電圧Ｖｏｆｓの供給ラインと信号線ＳＬとの間に接続されており、制御端はシフトレジスタに接続されている。トランジスタＨ２は、信号電圧Ｖｓｉｇの出力用であって、一対の電流端は信号電圧Ｖｓｉｇの供給ラインと信号線ＳＬとの間に接続されており、制御端（Ｂ点）はシフトレジスタの対応する段（Ａ点）に接続されている。Ａ点とＢ点との間に、抵抗Ｒと容量Ｃとで構成されたＲＣ回路が挿入されている。
【００４５】
図１５Ｅは、図１５Ｄに示した水平セレクタ３の動作説明に供するタイミングチャートである。図示するように、１水平走査期間（１Ｈ）の前半で、トランジスタＨ１の制御端にシフトレジスタから矩形の制御パルスが印加され、トランジスタＨ１がオンして、対応する信号線ＳＬに基準電圧Ｖｏｆｓが出力される。
【００４６】
続いて１水平走査期間（１Ｈ）の後半になると、Ａ点にシフトレジスタから矩形の制御パルスが印加される。この制御パルスはＲＣ回路を介してトランジスタＨ２の制御端であるＢ点に達する。矩形パルスはＲＣ回路の時定数に応じてトランジェントがなまり、図示の様な立上り波形及び立下り波形となる。パルスがなまった結果、その立上がり波形は、黒表示時の信号電位Ｖｓｉｇ黒とトランジスタＨ２の閾電圧ＶｔｈＨ２を足したレベル（Ｖｓｉｇ黒＋ＶｔｈＨ２）、白表示時の信号電位Ｖｓｉｇ白とトランジスタＨ２の閾電圧ＶｔｈＨ２を足したレベル（Ｖｓｉｇ白＋ＶｔｈＨ２）を順に超えて行く。なおこの時点で、走査線ＷＳには既にタイミングｔ０で制御信号ＷＳが印加されており、画素２側のサンプリング用トランジスタはオン状態にある。
【００４７】
白表示の場合、Ｂ点の電位がＶｓｉｇ白＋ＶｔｈＨ２を超えたタイミングｔ１（白）でトランジスタＨ２がオンする。即ち、トランジスタＨ２の信号供給ライン側に接続した電流端がソースとなり、Ｂ点がゲートとなるので、ゲート／ソース間電圧が（Ｖｓｉｇ白＋ＶｔｈＨ２）−Ｖｓｉｇ白＝ＶｔｈＨ２を越えた時、トランジスタＨ２がオンする。これにより、信号線ＳＬには信号供給ラインから白表示の信号電位Ｖｓｉｇ白が印加される。即ちタイミングｔ１（白）で、信号線ＳＬが基準電位Ｖｏｆｓから信号電位Ｖｓｉｇ白に切り替わる。
【００４８】
黒表示の場合、Ｂ点の電位がＶｓｉｇ黒＋ＶｔｈＨ２を超えたタイミングｔ１（黒）でトランジスタＨ２がオンする。即ち、トランジスタＨ２の信号供給ライン側に接続した電流端がソースとなり、Ｂ点がゲートとなるので、ゲート／ソース間電圧が（Ｖｓｉｇ黒＋ＶｔｈＨ２）−Ｖｓｉｇ黒＝ＶｔｈＨ２を越えた時、トランジスタＨ２がオンする。これにより、信号線ＳＬには信号供給ラインから黒表示の信号電位Ｖｓｉｇ黒が印加される。即ちタイミングｔ１（黒）で、信号線ＳＬが基準電位Ｖｏｆｓから信号電位Ｖｓｉｇ黒に切り替わる。タイミングチャートから明らかなように、ｔ１（黒）はｔ１（白）よりも時間的に前方にシフトしている。即ち水平セレクタ３は、信号電位Ｖｓｉｇのレベルに応じて第１タイミングｔ１を可変制御している。
【００４９】
この後第２タイミングｔ２になると、制御信号ＷＳが解除され、画素２側のサンプリング用トランジスタはオフ状態になる。これにより信号電位Ｖｓｉｇのサンプリングが終了する。よって、白表示時の信号書き込み時間はｔ１（白）〜ｔ２となり、黒表示時の信号書き込み時間はｔ１（黒）〜ｔ２となる。このようにして水平セレクタ３は、信号電位が白レベルのとき第１タイミングｔ１（白）を第２タイミングｔ２に近づけて書き込み時間を短くし、信号電位が黒レベルのとき第１タイミングｔ１（黒）を第２タイミングｔ２から遠くして書き込み時間を長くしている。
【００５０】
本発明にかかる表示装置は、図１６に示すような薄膜デバイス構成を有する。本図は、絶縁性の基板に形成された画素の模式的な断面構造を表している。図示するように、画素は、複数の薄膜トランジタを含むトランジスター部（図では１個のＴＦＴを例示）、保持容量などの容量部及び有機ＥＬ素子などの発光部とを含む。基板の上にＴＦＴプロセスでトランジスター部や容量部が形成され、その上に有機ＥＬ素子などの発光部が積層されている。その上に接着剤を介して透明な対向基板を貼り付けてフラットパネルとしている。
【００５１】
本発明にかかる表示装置は、図１７に示すようにフラット型のモジュール形状のものを含む。例えば絶縁性の基板上に、有機ＥＬ素子、薄膜トランジスタ、薄膜容量等からなる画素をマトリックス状に集積形成した画素アレイ部を設ける、この画素アレイ部（画素マトリックス部）を囲むように接着剤を配し、ガラス等の対向基板を貼り付けて表示モジュールとする。この透明な対向基板には必要に応じて、カラーフィルタ、保護膜、遮光膜等を設けてももよい。表示モジュールには、外部から画素アレイ部への信号等を入出力するためのコネクタとして例えばＦＰＣ（フレキシブルプリントサーキット）を設けてもよい。
【００５２】
以上説明した本発明における表示装置は、フラットパネル形状を有し、様々な電子機器、例えば、デジタルカメラ、ノート型パーソナルコンピューター、携帯電話、ビデオカメラなど、電子機器に入力された、若しくは、電子機器内で生成した映像信号を画像若しくは映像として表示するあらゆる分野の電子機器のディスプレイに適用することが可能である。以下この様な表示装置が適用された電子機器の例を示す。
【００５３】
図１８は本発明が適用されたテレビであり、フロントパネル１２、フィルターガラス１３等から構成される映像表示画面１１を含み、本発明の表示装置をその映像表示画面１１に用いることにより作製される。
【００５４】
図１９は本発明が適用されたデジタルカメラであり、上が正面図で下が背面図である。このデジタルカメラは、撮像レンズ、フラッシュ用の発光部１５、表示部１６、コントロールスイッチ、メニュースイッチ、シャッター１９等を含み、本発明の表示装置をその表示部１６に用いることにより作製される。
【００５５】
図２０は本発明が適用されたノート型パーソナルコンピュータであり、本体２０には文字等を入力するとき操作されるキーボード２１を含み、本体カバーには画像を表示する表示部２２を含み、本発明の表示装置をその表示部２２に用いることにより作製される。
【００５６】
図２１は本発明が適用された携帯端末装置であり、左が開いた状態を表し、右が閉じた状態を表している。この携帯端末装置は、上側筐体２３、下側筐体２４、連結部（ここではヒンジ部）２５、ディスプレイ２６、サブディスプレイ２７、ピクチャーライト２８、カメラ２９等を含み、本発明の表示装置をそのディスプレイ２６やサブディスプレイ２７に用いることにより作製される。
【００５７】
図２２は本発明が適用されたビデオカメラであり、本体部３０、前方を向いた側面に被写体撮影用のレンズ３４、撮影時のスタート／ストップスイッチ３５、モニター３６等を含み、本発明の表示装置をそのモニター３６に用いることにより作製される。
【図面の簡単な説明】
【００５８】
【図１】本発明にかかる表示装置の全体構成を示すブロック図である。
【図２】図１に示した表示装置に形成される画素の一例を示す回路図である。
【図３】図２に示した画素の動作の参考例を示すタイミングチャートである。
【図４】図２に示した画素の動作説明に供する模式図である。
【図５】同じく動作説明に供する模式図である。
【図６】同じく動作説明に供する模式図である。
【図７】同じく動作説明に供する模式図である。
【図８】同じく動作説明に供するグラフである。
【図９】同じく動作説明に供する模式図である。
【図１０】同じく動作説明に供する模式図である。
【図１１】同じく動作説明に供するグラフである。
【図１２】同じく動作説明に供する模式図である。
【図１３】同じく動作説明に供するタイミングチャートである。
【図１４】同じく動作説明に供する波形図である。
【図１５Ａ】本発明にかかる表示装置の動作説明に供するタイミングチャートである。
【図１５Ｂ】本発明にかかる表示装置の駆動方法を示す波形図である。
【図１５Ｃ】同じく本発明にかかる表示装置の駆動方法を示す波形図である。
【図１５Ｄ】信号線の１列分に対応した水平セレクタの出力部の実施例を表す回路図である。
【図１５Ｅ】図１５Ｄに示した水平セレクタの動作説明に供するタイミングチャートである。
【図１６】本発明にかかる表示装置のデバイス構成を示す断面図である。
【図１７】本発明にかかる表示装置のモジュール構成を示す平面図である。
【図１８】本発明にかかる表示装置を備えたテレビジョンセットを示す斜視図である。
【図１９】本発明にかかる表示装置を備えたデジタルスチルカメラを示す斜視図である。
【図２０】本発明にかかる表示装置を備えたノート型パーソナルコンピューターを示す斜視図である。
【図２１】本発明にかかる表示装置を備えた携帯端末装置を示す模式図である。
【図２２】本発明にかかる表示装置を備えたビデオカメラを示す斜視図である。
【図２３】従来の表示装置の一例を示す回路図である。
【図２４】従来の表示装置の問題点を表すグラフである。
【図２５】従来の表示装置の別の例を示す回路図である。
【符号の説明】
【００５９】
１・・・画素アレイ部、２・・・画素、３・・・水平セレクタ（信号ドライバ）、４・・・ライトスキャナ、５・・・ドライブスキャナ、Ｔ１・・・サンプリング用トランジスタ、Ｔ２・・・駆動用トランジスタ、Ｃ１・・・保持容量、ＥＬ・・・発光素子、ＷＳ・・・走査線、ＤＳ・・・給電線、ＳＬ・・・信号線
【図１】
0005119889.tif 000002
【図２】
0005119889.tif 000003
【図３】
0005119889.tif 000004
【図４】
0005119889.tif 000005
【図５】
0005119889.tif 000006
【図６】
0005119889.tif 000007
【図７】
0005119889.tif 000008
【図８】
0005119889.tif 000009
【図９】
0005119889.tif 000010
【図１０】
0005119889.tif 000011
【図１１】
0005119889.tif 000012
【図１２】
0005119889.tif 000013
【図１３】
0005119889.tif 000014
【図１４】
0005119889.tif 000015
【図１５Ａ】
0005119889.tif 000016
【図１５Ｂ】
0005119889.tif 000017
【図１５Ｃ】
0005119889.tif 000018
【図１５Ｄ】
0005119889.tif 000019
【図１５Ｅ】
0005119889.tif 000020
【図１６】
0005119889.tif 000021
【図１７】
0005119889.tif 000022
【図１８】
0005119889.tif 000023
【図１９】
0005119889.tif 000024
【図２０】
0005119889.tif 000025
【図２１】
0005119889.tif 000026
【図２２】
0005119889.tif 000027
【図２３】
0005119889.tif 000028
【図２４】
0005119889.tif 000029
【図２５】
0005119889.tif 000030